(57)【要約】【課題】サーバおよびクライアント機器を常時起動させたり、同時に起動させることを不要とし省電力化が図られたコンテンツ配信システム等を提供すること。【解決手段】休止状態の管理サーバ１１はコンテンツの蓄積のために起動し、新規コンテンツの登録完了の電子メールを送信先アカウントのあるクライアント機器１２に送信し、再び休止状態に移行し、休止状態／電源ＯＦＦ状態にあったクライアント機器１２は起動後、電子メールを受信して新規コンテンツの視聴を希望するユーザの操作を受け付け、起動要求を発行した管理サーバ１１からコンテンツリスト・コンテンツの配信を受ける。【選択図】図１
2010237807.tif 000002
【特許請求の範囲】
【請求項１】
ネットワークを介して管理サーバとクライアント機器とが接続されたコンテンツ配信システムにおいて、
休止状態にあった前記管理サーバはコンテンツの蓄積のために起動し、該コンテンツを蓄積し、その後新規コンテンツの登録完了の電子メールを、該電子メールの送信先としての電子メールアカウントが設定されている前記クライアント機器に送信し、その後再び休止状態に移行し、
休止状態または電源ＯＦＦ状態にあった前記クライアント機器は任意のタイミングで起動した後、前記電子メールを受信して新規コンテンツの登録完了の旨を表示し、新規コンテンツの視聴を希望するユーザの操作を受け付け、休止状態にある前記管理サーバに起動要求を発行することを特徴とするコンテンツ配信システム。
【請求項２】
前記管理サーバからコンテンツリストを取得し、さらに前記管理サーバから該コンテンツリストのうちの視聴を希望するコンテンツの配信を受けることを特徴とする請求項１記載のコンテンツ配信システム。
【請求項３】
前記管理サーバは、前記コンテンツリストを前記クライアント機器に対して最後に送信した日時以降に登録完了となった新規コンテンツすべてについて、登録完了の電子メールを送信することを特徴とする請求項１または２記載のコンテンツ配信システム。
【請求項４】
前記新規コンテンツの登録完了の電子メールは、新規コンテンツの詳細情報として、コンテンツのタイトル、番組名、録画日時、チャンネル、ジャンル、番組内容、あらすじ、出演者のうちの少なくとも１つを含む情報を有することを特徴とする請求項１から３のいずれか１項に記載のコンテンツ配信システム。
【請求項５】
前記電子メールアカウント単位で、新規コンテンツの登録完了の電子メールを送信する条件を設定し、クライアント機器単位やユーザ単位で管理することを特徴とする請求項１から４のいずれか１項に記載のコンテンツ配信システム。
【請求項６】
休止状態からコンテンツの蓄積のために起動し、該コンテンツを蓄積し、その後新規コンテンツの登録完了の電子メールを該電子メールの送信先としての電子メールアカウントが設定されているクライアント機器に送信し、その後再び休止状態に移行し、
前記クライアント機器からの起動要求を受け付け起動することを特徴とする管理サーバ。
【請求項７】
休止状態または電源ＯＦＦ状態から任意のタイミングで起動した後、休止状態にあった前記管理サーバがコンテンツの蓄積のために起動し、該コンテンツを蓄積し、その後送信した新規コンテンツの登録完了の旨の電子メールを該電子メールの送信先として設定されている電子メールアカウントで受信して新規コンテンツの登録完了の旨を表示し、新規コンテンツの視聴を希望するユーザの操作を受け付け、前記電子メール送信後再び休止状態に移行している前記管理サーバに起動要求を発行することを特徴とするクライアント機器。
【請求項８】
ネットワークを介して接続されている管理サーバとクライアント機器とを利用したコンテンツ配信方法において、
休止状態にあった前記管理サーバがコンテンツの蓄積のために起動し、該コンテンツを蓄積するステップと、その後新規コンテンツの登録完了の電子メールを該電子メールの送信先としての電子メールアカウントが設定されている前記クライアント機器に送信するステップと、その後再び休止状態に移行するステップとを有し、
休止状態または電源ＯＦＦ状態にあった前記クライアント機器が任意のタイミングで起動した後、前記電子メールを受信して新規コンテンツの登録完了の旨を表示するステップと、新規コンテンツの視聴を希望するユーザの操作を受け付け、休止状態にある前記管理サーバに起動要求を発行するステップとを有することを特徴とするコンテンツ配信方法。
【請求項９】
コンピュータに、休止状態からコンテンツの蓄積のために起動し、該コンテンツを蓄積する処理と、その後新規コンテンツの登録完了の電子メールを該電子メールの送信先としての電子メールアカウントが設定されているクライアント機器に送信する処理と、その後再び休止状態に移行する処理と、
前記クライアント機器からの起動要求を受け付け起動する処理とを実行させることを特徴とするプログラム。
【発明の詳細な説明】
【技術分野】
【０００１】
本発明は、省電力な構成によりコンテンツ配信を実現する技術に関する。
【背景技術】
【０００２】
コンテンツ配信システムとしてＤＬＮＡガイドラインで策定されている手順に従ったものがある。図４にそのようなシステムの構成図を示し、また図５にそのシステムにおける処理手順を示した。
【０００３】
図４を参照すると、管理サーバ５１とクライアント機器５２とがネットワーク５００を介して接続されている。
管理サーバ５１はコンテンツを蓄積し、クライアント機器５２にそのコンテンツをネットワーク５００を介して配信する機能を有している。
クライアント機器５２は管理サーバ５１に蓄積されているコンテンツをユーザに視聴させる機能を有している。
【０００４】
図５を参照して、図４に示したコンテンツ配信システムの処理動作を概説する。
まず、管理サーバ５１とクライアント機器５２とがネットワーク５００を介してお互いをＤＬＮＡ機器として発見し接続を確立する（Ｓ５０１）。ここではＩＰアドレス、デバイス、サービス情報（コンテンツ配信や印刷等）のやりとりがなされてよい。
【０００５】
次に、クライアント機器５２が管理サーバ５１に対してコンテンツのリストの取得要求をＨＴＴＰ等で発行する（Ｓ５０２）。これに応じて管理サーバ５１がクライアント機器５２に対してコンテンツのリストを送信する（Ｓ５０３）。
【０００６】
クライアント機器５２は管理サーバ５１から送信されたコンテンツのリストを表示部に表示する（Ｓ５０４）。クライアント機器５２のユーザは、表示画面等に表示されたコンテンツのリストを閲覧し、視聴を希望するコンテンツを選択し、当該コンテンツをコンテンツのリストから選択する所定の操作を行い、クライアント機器５２はその操作を受け付ける（Ｓ５０５）。
【０００７】
そして、クライアント機器５２が管理サーバ５１に対して選択したコンテンツの配信要求を発行する（Ｓ５０６）。これに応じて管理サーバ５１がクライアント機器５２に対して指定されたコンテンツを配信する（Ｓ５０７）。
【０００８】
クライアント機器５２は管理サーバ５１から配信されたコンテンツを表示部に表示する（Ｓ５０８）。クライアント機器５２のユーザは、表示画面等にストリーミング等で表示されたコンテンツを視聴する。
【０００９】
関連技術として、管理サーバとクライアントが共に電源ＯＮ時にコンテンツリストを更新する技術が提案されている（例えば、特許文献１参照）。
【００１０】
図６を参照して、特許文献１のコンテンツ配信システムの処理動作を概説する。なお、基本的なシステム構成は図４と同様である。
まず、管理サーバ５１がクライアント機器５２に対してコンテンツ更新情報を送信する（Ｓ６０１）。例えば、管理サーバ５１が起動中にＴＶ番組の予約録画を行った場合に、コンテンツが更新された旨の情報を送る。
【００１１】
次に、クライアント機器５２が自機の情報記憶装置に格納されているコンテンツのリストを更新する（Ｓ６０２）。
【００１２】
クライアント機器５２は更新したコンテンツのリストを表示部に表示する（Ｓ６０３）。クライアント機器５２のユーザは、表示画面等に表示されたコンテンツのリストを閲覧し、管理サーバ５１に更新情報がある旨を確認する。
【００１３】
そして、クライアント機器５２が管理サーバ５１に対して選択したコンテンツの配信要求を発行するのであるが、通常管理サーバ５１は休止状態であるため、Ｗａｋｅ  Ｏｎ  ＬＡＮで管理サーバ５１の起動要求を発行する（Ｓ６０４）。
【００１４】
その後、起動中の管理サーバ５１とクライアント機器５２とがネットワーク５００を介してコンテンツ配信のためのやりとりを行う（Ｓ６０５）。
具体的には、クライアント機器５２のユーザは、視聴を希望するコンテンツを選択し、当該コンテンツをコンテンツのリストから選択する所定の操作を行い、クライアント機器５２はその操作を受け付ける。
そして、クライアント機器５２が管理サーバ５１に対して選択したコンテンツの配信要求を発行する。これに応じて管理サーバ５１がクライアント機器５２に対して指定されたコンテンツを配信する。
【００１５】
そして、クライアント機器５２は管理サーバ５１から配信されたコンテンツを表示部に表示する（Ｓ６０６）。クライアント機器５２のユーザは、表示画面等にストリーミング等で表示されたコンテンツを視聴する。
【先行技術文献】
【特許文献】
【００１６】
【特許文献１】特開２００５−１５７８００号公報
【発明の概要】
【発明が解決しようとする課題】
【００１７】
しかしながら、上述の関連技術のうち、ＤＬＮＡガイドラインに従ったコンテンツ配信システムでは、管理サーバ５１が起動していない状態では、クライアント機器５２からどのようなコンテンツが登録されているか、あるいはどのようなコンテンツが登録されているかを示すコンテンツのリストを確認できないため、管理サーバ５１を常時起動させておく必要があり省電力化を図ることは困難であるという問題があった。
【００１８】
また、特許文献１に開示されているコンテンツ配信システムでは、コンテンツ情報を更新するためには管理サーバ５１とクライアント機器５２とが同時に起動している必要があり省電力化を図ることは困難であるという問題があった。
【００１９】
本発明は、管理サーバおよびクライアント機器を常時起動させたり、同時に起動させることを不要とし省電力化が図られたコンテンツ配信システム、管理サーバ、クライアント機器、コンテンツ配信方法およびプログラムを提供することを目的とする。
【課題を解決するための手段】
【００２０】
本発明のコンテンツ配信システムは、ネットワークを介して管理サーバとクライアント機器とが接続されたコンテンツ配信システムにおいて、
休止状態にあった前記管理サーバはコンテンツの蓄積のために起動し、該コンテンツを蓄積し、その後新規コンテンツの登録完了の電子メールを、該電子メールの送信先としての電子メールアカウントが設定されている前記クライアント機器に送信し、その後再び休止状態に移行し、
休止状態または電源ＯＦＦ状態にあった前記クライアント機器は任意のタイミングで起動した後、前記電子メールを受信して新規コンテンツの登録完了の旨を表示し、新規コンテンツの視聴を希望するユーザの操作を受け付け、休止状態にある前記管理サーバに起動要求を発行することを特徴とする。
【００２１】
また、本発明の管理サーバは、休止状態からコンテンツの蓄積のために起動し、該コンテンツを蓄積し、その後新規コンテンツの登録完了の電子メールを該電子メールの送信先としての電子メールアカウントが設定されているクライアント機器に送信し、その後再び休止状態に移行し、
前記クライアント機器からの起動要求を受け付け起動することを特徴とする。
【００２２】
また、本発明のクライアント機器は、休止状態または電源ＯＦＦ状態から任意のタイミングで起動した後、休止状態にあった前記管理サーバがコンテンツの蓄積のために起動し、該コンテンツを蓄積し、その後送信した新規コンテンツの登録完了の旨の電子メールを該電子メールの送信先として設定されている電子メールアカウントで受信して新規コンテンツの登録完了の旨を表示し、新規コンテンツの視聴を希望するユーザの操作を受け付け、前記電子メール送信後再び休止状態に移行している前記管理サーバに起動要求を発行することを特徴とする。
【００２３】
また、本発明のコンテンツ配信方法は、ネットワークを介して接続されている管理サーバとクライアント機器とを利用したコンテンツ配信方法において、
休止状態にあった前記管理サーバがコンテンツの蓄積のために起動し、該コンテンツを蓄積するステップと、その後新規コンテンツの登録完了の電子メールを該電子メールの送信先としての電子メールアカウントが設定されている前記クライアント機器に送信するステップと、その後再び休止状態に移行するステップとを有し、
休止状態または電源ＯＦＦ状態にあった前記クライアント機器が任意のタイミングで起動した後、前記電子メールを受信して新規コンテンツの登録完了の旨を表示するステップと、新規コンテンツの視聴を希望するユーザの操作を受け付け、休止状態にある前記管理サーバに起動要求を発行するステップとを有することを特徴とする。
【００２４】
また、本発明のプログラムは、コンピュータに、休止状態からコンテンツの蓄積のために起動し、該コンテンツを蓄積する処理と、その後新規コンテンツの登録完了の電子メールを該電子メールの送信先としての電子メールアカウントが設定されているクライアント機器に送信する処理と、その後再び休止状態に移行する処理と、
前記クライアント機器からの起動要求を受け付け起動する処理とを実行させることを特徴とする。
【発明の効果】
【００２５】
本発明によれば、管理サーバおよびクライアント機器を常時起動させたり、同時に起動させることを不要とし省電力化を図ることが可能となる。
【図面の簡単な説明】
【００２６】
【図１】本発明の実施の形態に係るシステム構成を示す図である。
【図２】本発明の実施の形態に係る管理サーバおよびクライアント機器の機能ブロック図である。
【図３】本発明の実施の形態に係る処理動作を示すシーケンス図である。
【図４】従来のコンテンツ配信に係るシステム構成を示す図である。
【図５】従来のコンテンツ配信に係る処理動作を示すシーケンス図である。
【図６】従来のコンテンツ配信に係る処理動作を示すシーケンス図である。
【発明を実施するための形態】
【００２７】
以下、本発明の実施の形態について図面を参照して詳細に説明する。図１に示す本実施の形態におけるコンテンツ配信システムは、管理サーバ１１とクライアント機器１２とがネットワーク１００を介して接続されている。なお、ネットワークの種類は限定されない。
【００２８】
管理サーバ１１はテレビＰＣやレコーダ等のテレビ受信用のチューナを保持している情報処理装置であり、コンテンツを蓄積し、クライアント機器１２にそのコンテンツをネットワーク１００を介して配信する機能を有している。なお、管理サーバ１１は複数設けられることであってもよい。
【００２９】
クライアント機器１２は管理サーバ１１に蓄積されているコンテンツをユーザに視聴させる機能を有している。ノート型ＰＣ、携帯電話機等の情報処理装置であってよい。
【００３０】
図２に、管理サーバ１１とクライアント機器１２の機能ブロック図を示す。
【００３１】
管理サーバ１１は、コンテンツ蓄積部１１１と、コンテンツ管理部１１２と、起動・休止制御部１１３と、電子メール送信部１１４、通信部１１５と、記憶部１１６と備えている。
コンテンツ蓄積部１１１は、テレビ受信用のチューナ等によりテレビ番組等のコンテンツを受信して管理サーバ１１のＨＤ等の記憶部１１６の所定の領域に格納して蓄積する機能を有している。
コンテンツ管理部１１２は、コンテンツリスト等をクライアント機器１２に送信したコンテンツ、その送信日時等を管理する機能を有している。
起動・休止制御部１１３は、管理サーバ１１を起動させたり、省電力のために休止したり、省電力モードに制御する機能を有している。
電子メール送信部１１４は、クライアント機器１２等に電子メールを送信する機能を有している。電子メール送信部１１４は、記憶部１１６に格納されている電子メールアカウント情報を参照して、各クライアント機器に対応して１つのクライアント機器に１つの電子メールアカウントが紐付けられている場合（クライアント機器１２Ａにはａ＠ｘｙｚ、クライアント機器１２Ｂにはｂ＠ｘｙｚ、クライアント機器１２Ｃにはｃ＠ｘｙｚ）や、１つのクライアント機器において複数のユーザに対応して各ユーザ毎に１つの電子メールアカウントが紐付けられている場合（クライアント機器１２Ａにおいて、ユーザＡにはａａ＠ｘｙｚ、ユーザＢにはｂｂ＠ｘｙｚ、ユーザＣにはｃｃ＠ｘｙｚ）や、複数のクライアント機器において共通する複数のユーザに対応して各ユーザ毎に１つの電子メールアカウントが紐付けられている場合（クライアント機器１２Ａにおいて、ユーザＤにはｄｄ＠ｘｙｚ、ユーザＥにはｅｅ＠ｘｙｚ、ユーザＦにはｆｆ＠ｘｙｚ、クライアント機器１２Ｂにおいて、ユーザＤにはｄｄ＠ｘｙｚ、ユーザＥにはｅｅ＠ｘｙｚ、ユーザＦにはｆｆ＠ｘｙｚ、クライアント機器１２Ｃにおいて、ユーザＤにはｄｄ＠ｘｙｚ、ユーザＥにはｅｅ＠ｘｙｚ、ユーザＦにはｆｆ＠ｘｙｚ）等の種々のケースに応じて、クライアント機器単位／ユーザ単位どちらであっても電子メールアカウントが設定されている適切な送信先に電子メールを送信する。
通信部１１５は、クライアント機器１２等と情報をやりとりする機能を有している。
記憶部１１６は、各種のデータを格納し、所定のテーブルを有していてもよい。
【００３２】
クライアント機器１２は、電子メール受信部１２１と、表示部１２２と、管理サーバ起動部１２３と、コンテンツ取得部１２４と、通信部１２５とを備えている。
電子メール受信部１２１は、管理サーバ１１から電子メールを受信する機能を有している。
表示部１２２は、コンテンツを表示したり、各種の情報を表示する機能を有している。
管理サーバ起動部１２３は、休止状態である管理サーバ１１を起動するため、Ｗａｋｅ  Ｏｎ  ＬＡＮで起動要求を発行する機能を有している。
コンテンツ取得部１２４は、ユーザが視聴を希望するコンテンツを取得する機能を有している。
通信部１２５は、管理サーバ１１等と情報をやりとりする機能を有している。
【００３３】
以下、本実施の形態の動作について図面を参照して詳細に説明する。
図３のシーケンス図を参照すると、当初は管理サーバ１１は休止状態、クライアント機器１２は休止状態または電源ＯＦＦ状態にある（Ｓ３０１）。
【００３４】
管理サーバ１１の起動・休止制御部１１３は、ＴＶ番組の予約録画の該当時刻に管理サーバ１１を起動させ、管理サーバ１１のコンテンツ蓄積部１１１は、テレビ受信用のチューナ等によりテレビ番組等のコンテンツを受信して管理サーバ１１のＨＤ等の記憶部１１６の所定の領域に格納して蓄積する（Ｓ３０２）。なお、コンテンツの蓄積をユーザが特段意識しないでなされる、おまかせ録画等が起動のトリガであってもよい。
【００３５】
記憶部１１６の所定の領域に新規コンテンツが登録されると、次に、管理サーバ１１は、電子メール送信部１１４により、クライアント機器１２に新規コンテンツの登録完了の電子メールを送信する（Ｓ３０３）。電子メール送信部１１４は、記憶部１１６に格納されている電子メールアカウント情報を参照して、各クライアント機器に対応して１つのクライアント機器に１つの電子メールアカウントが紐付けられている場合や、１つのクライアント機器において複数のユーザに対応して各ユーザ毎に１つの電子メールアカウントが紐付けられている場合や、複数のクライアント機器において共通する複数のユーザに対応して各ユーザ毎に１つの電子メールアカウントが紐付けられている場合等の種々のケースに応じて、電子メールアカウントが設定されている適切な送信先に電子メールを送信する。今回は、送信先としてクライアント機器１２で設定されている電子メールアカウントが指定されているものとする。
なお、通知される情報には、管理サーバ１１自身のＭＡＣアドレスや前回コンテンツリストをクライアント機器１２に送信した日時が含まれていても良い。
ここでは、新規コンテンツの登録完了の電子メールは一回のみ送信されることとしているが、前回コンテンツリストをクライアント機器１２に送信した日時の後に新規コンテンツの登録完了がなされたものは、そのコンテンツを含むコンテンツリストがクライアント機器１２に送信されるまで他の新規コンテンツの登録完了時に毎回併せて送信されることであってもよい。特にこのような場合には、各コンテンツのタイトル、番組名、録画日時、チャンネル、ジャンル、番組内容、あらすじ、出演者等の詳細情報も所定の詳細レベルに応じて通知される情報に含まれることが望ましい。なお、管理サーバ１１のコンテンツ管理部１１２は、コンテンツリスト等をクライアント機器１２に送信したコンテンツ、その送信日時等を管理している。
【００３６】
管理サーバ１１の起動・休止制御部１１３は、管理サーバ１１を省電力のために休止する（Ｓ３０４）。
【００３７】
次に、例えばユーザが帰宅した等の事象が発生し、クライアント機器１２が休止状態または電源ＯＦＦ状態から起動されると、電子メール受信部１２１により新規コンテンツの登録完了の電子メールを受信し（Ｓ３０５）、表示部１２２に、管理サーバ１１に新規コンテンツの登録完了の電子メールを受信した旨を表示する。このように管理サーバ１１と特定のサーバが表示されるのでサーバが複数台設置されている場合であってもすべてのサーバをチェックする必要がなくなる。
【００３８】
クライアント機器１２のコンテンツ取得部１２４は、新規コンテンツの登録完了の電子メールを確認したユーザの「新規コンテンツを視聴」等のボタンの押下げ等の所定の操作を受付け（Ｓ３０６）、管理サーバ起動部１２３は、休止状態である管理サーバ１１を起動するため、Ｗａｋｅ  Ｏｎ  ＬＡＮで起動要求を発行する（Ｓ３０７）。その際、上記のステップＳ３０３で通知された管理サーバ１１のＭＡＣアドレスを用いてもよい。
【００３９】
管理サーバ１１の起動・休止制御部１１３は、管理サーバ１１を起動させる（Ｓ３０８）。
【００４０】
クライアント機器１２の通信部１２５は、管理サーバ１１に対してクライアント機器１２自身の電子メールアカウントを通知する（Ｓ３０９）。なお、クライアント機器１２を一意に識別するための情報であれば特に電子メールに限定されない。
【００４１】
これ以降は、基本的にＤＬＮＡガイドラインで策定されている手順に従う。
管理サーバ１１とクライアント機器１２とがネットワーク１００を介して通信部１１５、通信部１２５によりお互いをＤＬＮＡ機器として発見し接続を確立する（Ｓ３１０）。ここではＩＰアドレス、デバイス、サービス情報（コンテンツ配信や印刷等）のやりとりがなされてよい。
【００４２】
次に、クライアント機器１２のコンテンツ取得部１２４が管理サーバ１１に対してコンテンツのリストの取得要求をＨＴＴＰ等で発行する。これに応じて管理サーバ１１がクライアント機器１２に対してコンテンツのリストを送信する（Ｓ３１１）。
【００４３】
管理サーバ１１のコンテンツ管理部１１２は、コンテンツリスト等をクライアント機器１２に送信したコンテンツ、その送信日時と、クライアント機器１２の識別情報である電子メールアカウントを紐付けて記憶部１１６の所定のテーブルに記憶する（Ｓ３１２）。この情報を次回の新規コンテンツの登録完了の電子メールを送信する際に利用する。
【００４４】
クライアント機器１２は管理サーバ１１から送信されたコンテンツのリストを表示部に表示する（Ｓ３１３）。上記のステップＳ３０３の前回コンテンツリストをクライアント機器１２に送信した日時以降で絞込みがかけられてもよい。さらにその絞込み表示を解除すれば古いコンテンツのリストも表示可能であってよい。
【００４５】
クライアント機器１２のユーザは、表示部１２２に表示されたコンテンツのリストを閲覧し、視聴を希望するコンテンツを選択し、当該コンテンツをコンテンツのリストから選択する所定の操作を行い、クライアント機器１２はその操作を受け付ける。そして、クライアント機器１２のコンテンツ取得部１２４が管理サーバ１１に対して選択したコンテンツの配信要求を発行する。これに応じて管理サーバ１１がクライアント機器５２に対して指定されたコンテンツを配信する（Ｓ３１４）。
【００４６】
クライアント機器１２は管理サーバ１１から配信されたコンテンツを表示部１２２に表示する（Ｓ３１５）。クライアント機器１２のユーザは、表示部１２２にストリーミング等で表示されたコンテンツを視聴する。
【００４７】
上記の本実施の形態によれば、管理サーバおよびクライアント機器を常時起動させたり、同時に起動させる必要がないため、省電力の効果が得られる。
【００４８】
なお、上記のステップＳ３０３で、管理サーバ１１が記憶部１１６の所定の領域に新規コンテンツが登録されると、クライアント機器１２に新規コンテンツの登録完了の電子メールを送信する処理において、電子メールアカウント単位でコンテンツ更新情報が管理できることであってもよい。
すなわち、クライアント機器１２Ａ、クライアント機器１２Ｂ、クライアント機器１２Ｃが存在する場合（電子メールアカウントは、クライアント機器１２Ａにはａ＠ｘｙｚ、クライアント機器１２Ｂにはｂ＠ｘｙｚ、クライアント機器１２Ｃにはｃ＠ｘｙｚが設定されている）、各クライアント機器に新規コンテンツの登録完了の電子メールを送信する処理を実行するコンテンツの条件を、例えば以下のように電子メールアカウントと結びつけて設定する。
【００４９】
クライアント機器１２Ａは、ジャンルが「ドラマ」または「映画」、ただし再放送を除く。
クライアント機器１２Ｂは、平日かつ１９：００〜２４：００に録画された番組。
クライアント機器１２Ｃは、標準画質以外（携帯電話機等用に画質を落としたもの）で録画された番組。
【００５０】
上記の条件のときに、ＮＨＫの大河ドラマ（日曜２０：００〜）が標準画質で録画された場合には、クライアント機器１２Ａ（ａ＠ｘｙｚ）に対してのみ新規コンテンツの登録完了の電子メールを送信することとなる。
また、条件には詳細情報の詳細レベルの指定等も付加されて良い。
【００５１】
このような条件設定が可能であれば会社と自宅の機器を区別して利用する際に有用である。
【００５２】
さらに、電子メールアカウントをユーザ単位で設定することでコンテンツ更新情報が上記のクライアント機器単位に縛られることなくユーザ単位で管理できることとなる。
すなわち、第一の例として、１つのクライアント機器において複数のユーザに対応して各ユーザ毎に１つの電子メールアカウントが紐付けられている場合（電子メールアカウントは、クライアント機器１２Ａにおいて、ユーザＡにはａａ＠ｘｙｚ、ユーザＢにはｂｂ＠ｘｙｚ、ユーザＣにはｃｃ＠ｘｙｚが設定されている）、クライアント機器に新規コンテンツの登録完了の電子メールを送信する処理を実行する条件を、例えば以下のように電子メールアカウントと結びつけて設定する。
【００５３】
ユーザＡ（父）は、ジャンルが「ニュース」、ただし再放送を除く。
ユーザＢ（母）は、平日かつ１９：００〜２４：００に録画された番組。
ユーザＣ（子供）は、ジャンルが「アニメ」または「教育」。
【００５４】
上記の条件のときに、ＮＨＫの「ニュース」（日曜１９：００〜）が録画された場合には、クライアント機器１２ＡのユーザＡ（ａａ＠ｘｙｚ）に対してのみ新規コンテンツの登録完了の電子メールを送信することとなる。
また、条件には詳細情報の詳細レベルの指定等も付加されて良い。
【００５５】
このような条件設定が可能であればクライアント機器が仮に一台であってもユーザごとに区別して利用する際に有用である。
【００５６】
また、第二の例として、複数のクライアント機器において共通する複数のユーザに対応して各ユーザ毎に１つの電子メールアカウントが紐付けられている場合（電子メールアカウントは、クライアント機器１２Ａにおいて、ユーザＤにはｄｄ＠ｘｙｚ、ユーザＥにはｅｅ＠ｘｙｚ、ユーザＦにはｆｆ＠ｘｙｚ、クライアント機器１２Ｂにおいて、ユーザＤにはｄｄ＠ｘｙｚ、ユーザＥにはｅｅ＠ｘｙｚ、ユーザＦにはｆｆ＠ｘｙｚ、クライアント機器１２Ｃにおいて、ユーザＤにはｄｄ＠ｘｙｚ、ユーザＥにはｅｅ＠ｘｙｚ、ユーザＦにはｆｆ＠ｘｙｚが設定されている）、クライアント機器に新規コンテンツの登録完了の電子メールを送信する処理を実行する条件を、例えば以下のように電子メールアカウントと結びつけて設定する。
【００５７】
ユーザＤ（父）は、ジャンルが「ニュース」、ただし再放送を除く。
ユーザＥ（母）は、平日かつ１９：００〜２４：００に録画された番組。
ユーザＦ（子供）は、標準画質以外（携帯電話機等用に画質を落としたもの）で録画された番組。
【００５８】
上記の条件のときに、ＮＨＫの「ニュース」（日曜１９：００〜）が標準画質で録画された場合には、クライアント機器１２ＡのユーザＤ（ｄｄ＠ｘｙｚ）、クライアント機器１２ＢのユーザＤ（ｄｄ＠ｘｙｚ）およびクライアント機器１２ＣのユーザＤ（ｄｄ＠ｘｙｚ）に対してそれぞれ新規コンテンツの登録完了の電子メールを送信することとなる。
また、条件には詳細情報の詳細レベルの指定等も付加されて良い。
【００５９】
このような条件設定が可能であれば各ユーザは、複数の異なる場所にあるクライアント機器を利用することが可能となる。
【００６０】
なお、上述する各実施の形態は、本発明の好適な実施の形態であり、本発明の要旨を逸脱しない範囲内において種々変更実施が可能である。例えば、管理サーバ１１、クライアント機器１２の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００６１】
１１    管理サーバ
１２    クライアント機器
１００    ネットワーク
【図１】
2010237807.tif 000003
【図２】
2010237807.tif 000004
【図３】
2010237807.tif 000005
【図４】
2010237807.tif 000006
【図５】
2010237807.tif 000007
【図６】
2010237807.tif 000008